【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
成分［Ａ］、［Ｂ］、［Ｃ］、［Ｄ］、及び［Ｅ］を含む繊維強化複合材料用エポキシ樹脂組成物であって、前記エポキシ樹脂組成物は、硬化後において、２２０℃よりも高いガラス転移温度、及び特定の方法によって定められ、前記ガラス転移温度よりも少なくとも３５℃高い温度で測定されるせん断弾性率から特定される３５ＭＰａ未満の貯蔵弾性率を有し、前記成分［Ａ］、［Ｂ］、［Ｃ］、［Ｄ］、及び［Ｅ］は：
［Ａ］１９０〜２６０ｇ／モルのＥＥＷを有する少なくとも１つのナフタレン系エポキシ樹脂；
［Ｂ］３つ以上の官能基を有する少なくとも１つのエポキシ樹脂；
［Ｃ］少なくとも１つのアミン硬化剤；
［Ｄ］少なくとも１つの潜在性酸触媒；及び
［Ｅ］少なくとも１つの脂環式エポキシ樹脂
を含む、エポキシ樹脂組成物。
【請求項２】
成分［Ａ］の成分［Ｂ］に対する重量比が、１：５〜２：１である、請求項１に記載のエポキシ樹脂組成物。
【請求項３】
成分［Ｃ］が、少なくとも１つの芳香族ポリアミンを含む、請求項１に記載のエポキシ樹脂組成物。
【請求項４】
成分［Ｃ］が、少なくとも１つのジアミノジフェニルスルホンを含む、請求項１に記載のエポキシ樹脂組成物。
【請求項５】
添加される成分［Ｃ］の量が、成分［Ａ］及び［Ｂ］の前記ＥＥＷを用い、モルＡＥＷ／ＥＥＷ比が０．７〜１．３となるように算出される、請求項１に記載のエポキシ樹脂組成物。
【請求項６】
成分［Ｄ］が、式（ＩＩＩ）で表される少なくとも１つのオニウム塩触媒を含み：
【化１】
2019533027.tif 000001
式中、Ｒ１は、水素原子、ヒドロキシル基、アルコキシル基、又は式（ＩＶ）で表される基を表し：
【化２】
2019533027.tif 000002
式中、Ｙ’は、アルキル基、アルコキシル基、フェニル基、又はフェノキシ基を表し、これらはすべて、１又は複数の置換基を有していてよく、Ｒ２及びＲ３の各々は、独立して、水素原子、ハロゲン原子、又はアルキル基を表し、Ｒ４及びＲ５の各々は、独立して、アルキル基、アラルキル基、又はアリール基を表し、これらの各々は、１又は複数の置換基を有していてよく、並びにＸ−は、ＳｂＦ６−、ＰＦ６−、ＡｓＦ６−、又はＢＦ４−を表す、
請求項１に記載のエポキシ樹脂組成物。
【請求項７】
成分［Ｅ］が、式（Ｖ）で表される少なくとも１つの脂環式エポキシ樹脂を含み、式中、Ｙは、単結合であるか、又は４５ｇ／モル未満の分子量を有する二価部分を表す、請求項１に記載のエポキシ樹脂組成物。
【化３】
2019533027.tif 000003
【請求項８】
成分［Ｅ］が、式（Ｖ）で表される少なくとも１つの脂環式エポキシ樹脂を含み、式中、Ｙは、単結合、Ｏ、Ｃ（ＣＨ３）２、ＣＨ２、又はオキシラン環である、請求項７に記載のエポキシ樹脂組成物。
【請求項９】
成分［Ａ］が、式Ｉ又は式ＩＩで表される少なくとも１つのエポキシ樹脂を含み：
【化４】
2019533027.tif 000004
式中、Ｒ１〜Ｒ１２は、各々独立して、水素原子、ハロゲン原子、Ｃ１〜Ｃ１０アルキル基、Ｃ１〜Ｃ１０アルコキシル基、Ｃ１〜Ｃ１０フルオロアルキル基、シクロアルキル基、アリール基、アリールオキシル基、及びグリシドキシ基から成る群より選択され、Ｙ１〜Ｙ７は、各々独立して、水素原子、ハロゲン原子、Ｃ１〜Ｃ１０アルキル基、Ｃ１〜Ｃ１０アルコキシル基、Ｃ１〜Ｃ１０フルオロアルキル基、シクロアルキル基、アリール基、アリールオキシル基、及びグリシドキシ基から成る群より選択され、ここで、各ベンゼン核は、１又は複数のＹ基で置換されていてよく、ｎは、０又は１〜５の整数であり、ｋは、０又は１〜３の整数であり、ここで、前記Ｙ基は、各ナフタレン核のいずれか又は両方の環に結合されていてよく；並びに各Ｘは、独立して、直接結合、−ＣＨ２−、−Ｃ（ＣＨ３）２−、−Ｓ−、−ＳＯ２−、−Ｏ−、−Ｃ（＝Ｏ）Ｏ−、−Ｃ（＝Ｏ）ＮＨ−、Ｃ１〜Ｃ６アルキレン基、Ｃ１〜Ｃ６アルコキシレン基、シクロアルキレン基、アリーレン基、及びアリールオキシレン基から成る群より選択され、ここで、これらの基は、個別に用いられるか、又は異なる基が、組み合わされて、Ｘとして用いられ；
【化５】
2019533027.tif 000005
式中、ｎは、繰り返し単位の数を表して、１以上の整数であり；Ｒ１〜Ｒ８は、各々独立して、水素原子、ハロゲン原子、Ｃ１〜Ｃ６アルキル基、Ｃ１〜Ｃ６アルコキシル基、Ｃ１〜Ｃ６フルオロアルキル基、シクロアルキル基、アリール基、及びアリールオキシル基から成る群より選択され、ここで、これらの基は、個別に用いられるか、又は異なる基が、組み合わされて、Ｒ１〜Ｒ８の各々として用いられ；Ｙ１及びＹ２は、各々独立して、水素原子又はグリシジルエーテル基から成る群より選択され；並びに各Ｘは、独立して、直接結合、−ＣＨ２−、−Ｃ（ＣＨ３）２−、−Ｓ−、−ＳＯ２−、−Ｏ−、−Ｃ（＝Ｏ）Ｏ−、−Ｃ（＝Ｏ）ＮＨ−、Ｃ１〜Ｃ６アルキレン基、Ｃ１〜Ｃ６アルコキシレン基、シクロアルキレン基、アリーレン基、及びアリールオキシレン基から成る群より選択され、ここで、これらの基は、個別に用いられるか、又は異なる基が、組み合わされて、Ｘとして用いられる、
請求項１に記載のエポキシ樹脂組成物。
【請求項１０】
成分［Ａ］が、式ＶＩ、ＶＩＩ、又はＶＩＩＩで表される少なくとも１つのナフタレングリシジルエーテルエポキシ樹脂を含む、請求項９に記載のエポキシ樹脂組成物。
【化６】
2019533027.tif 000006
【化７】
2019533027.tif 000007
【化８】
2019533027.tif 000008
【請求項１１】
成分［Ｂ］が、トリス（ｐ−ヒドロキシフェニル）メタンのトリグリシジルエーテル、Ｎ，Ｎ，Ｎ’，Ｎ’−テトラグリシジル−４，４’−ジアミノジフェニルメタン、トリグリシジル−ｍ−アミノフェノール、及び１，６−ビス（２−ナフチル）メタンのテトラグリシジルエーテルから成る群より選択される少なくとも１つのエポキシ樹脂を含む、請求項１０に記載のエポキシ樹脂組成物。
【請求項１２】
少なくとも１つの熱可塑性樹脂をさらに含む、請求項１に記載のエポキシ樹脂組成物。
【請求項１３】
少なくとも１つのポリエーテルスルホンをさらに含む、請求項１に記載のエポキシ樹脂組成物。
【請求項１４】
成分［Ｇ］をさらに含み、成分［Ｇ］は、平均粒子径が５〜５０μｍである熱可塑性樹脂粒子を含む、請求項１に記載のエポキシ樹脂組成物。
【請求項１５】
請求項１〜１４のいずれか一項に記載のエポキシ樹脂組成物で含浸された強化繊維マトリックスを含むプリプレグ。
【請求項１６】
請求項１５に記載のプリプレグを硬化することによって得られる繊維強化複合材料。
【請求項１７】
請求項１〜１４のいずれか一項に記載のエポキシ樹脂組成物及び強化繊維を含む混合物を硬化することによって得られるエポキシ樹脂硬化物を含む、繊維強化複合材料。
【手続補正２】
【補正対象書類名】明細書
【補正対象項目名】００１３
【補正方法】変更
【補正の内容】
【００１３】
式中、Ｒ１〜Ｒ１２は、各々独立して、水素原子、ハロゲン原子、Ｃ１〜Ｃ１０アルキル基、Ｃ１〜Ｃ１０アルコキシル基、Ｃ１〜Ｃ１０フルオロアルキル基、シクロアルキル基、アリール基、アリールオキシル基、及びグリシドキシ基から成る群より選択され、Ｙ１〜Ｙ７は、各々独立して、水素原子、ハロゲン原子、Ｃ１〜Ｃ１０アルキル基、Ｃ１〜Ｃ１０アルコキシル基、Ｃ１〜Ｃ１０フルオロアルキル基、シクロアルキル基、アリール基、アリールオキシル基、及びグリシドキシ基から成る群より選択され、ここで、各ベンゼン核は、１又は複数のＹ基で置換されていてよく、ｎは、０又は１〜５の整数であり、ｋは、０又は１〜３の整数であり、ここで、Ｙ基は、各ナフタレン核のいずれか又は両方の環に結合されていてよく；並びに各Ｘは、独立して、直接結合、−ＣＨ２−、−Ｃ（ＣＨ３）２−、−Ｓ−、−ＳＯ２−、−Ｏ−、−Ｃ（＝Ｏ）Ｏ−、−Ｃ（＝Ｏ）ＮＨ−、Ｃ１〜Ｃ６アルキレン基、Ｃ１〜Ｃ６アルコキシレン基、シクロアルキレン基、アリーレン基、及びアリールオキシレン基から成る群より選択され、ここで、これらの基は、個別に用いられるか、又は異なる基が、組み合わされて、Ｘとして用いられる。
【手続補正３】
【補正対象書類名】明細書
【補正対象項目名】００１６
【補正方法】変更
【補正の内容】
【００１６】
式中、ｎは、繰り返し単位の数を表して、１以上の整数（例：１〜１０）であり；Ｒ１〜Ｒ８は、各々独立して、水素原子、ハロゲン原子、Ｃ１〜Ｃ６アルキル基、Ｃ１〜Ｃ６アルコキシル基、Ｃ１〜Ｃ６フルオロアルキル基、シクロアルキル基、アリール基、及びアリールオキシル基から成る群より選択され、ここで、これらの基は、個別に用いられるか、又は異なる基が、組み合わされて、Ｒ１〜Ｒ８の各々として用いられ；Ｙ１及びＹ２は、各々独立して、水素原子又はグリシジルエーテル（グリシドキシ）基から成る群より選択され；並びに各Ｘは、独立して、直接結合、−ＣＨ２−、−Ｃ（ＣＨ３）２−、−Ｓ−、−ＳＯ２−、−Ｏ−、−Ｃ（＝Ｏ）Ｏ−、−Ｃ（＝Ｏ）ＮＨ−、Ｃ１〜Ｃ６アルキレン基、Ｃ１〜Ｃ６アルコキシレン基、シクロアルキレン基、アリーレン基、及びアリールオキシレン基から成る群より選択され、ここで、これらの基は、個別に用いられるか、又は異なる基が、組み合わされて、Ｘとして用いられる。